(57)【要約】【課題】  回転表示機に設けられた識別情報を回転移動中でも簡単な構成によって照明することができる遊技機の表示装置を得る。【解決手段】  表示機２２０の裏面側に設けられた導光板２６０の外周面２６０Ｃへ向けて、表示機２２０の回転軸線（軸線Ｈ２）と略直交する方向から投光器により光を照射する。導光板２６０の外周面２６０Ｃへ入射された光は、導光板２６０の内部を導かれ、表示体２５０と対応する部位に設けられたダイヤモンドカット部２６４から表示体２５０側へ出射される。そしてこの光は、光透過性材料により形成された表示体２５０を裏面側から表面側へ通過し、この光によって表示体２５０に設けた図柄を照明する。【選択図】        図５
2006006807.tif 000002
【特許請求の範囲】
【請求項１】
光透過性材料により形成され、中心軸線回りに回転可能とされた円盤状の回転表示機と、
前記回転表示機を前記中心軸線回りに回転可能に支持する支持手段と、
前記回転表示機を前記中心軸線回りに回転させる駆動手段と、
前記回転表示機の表面側に設けられた識別情報と、
前記回転表示機の裏面側に設けられ、前記中心軸線と略直交する方向から光入射部へ入射された光を内部で導くと共にその光を前記識別情報と対応する部位に設けられた光出射部から前記回転表示機側へ出射する導光手段と、
前記導光手段の前記光入射部へ向けて前記中心軸線と略直交する方向から光を照射する光照射手段と、
を有することを特徴とする遊技機の表示装置。
【請求項２】
複数の識別情報を変動表示した後に停止表示し、その停止表示された前記複数の識別情報の表示結果が予め定められた特定の組み合わせとなったときに所定の遊技価値が付与される遊技機の表示装置であって、
前記識別情報が設けられ光透過性材料により形成された回転体と、
前記回転体をそれぞれ第１回転軸線回りに回転可能に支持する複数の回転表示機と、
前記複数の回転表示機を前記第１回転軸線と略平行な第２回転軸線上に同軸的に配置し前記第２回転軸線回りに個別に回転可能に支持する支持手段と、
前記複数の回転表示機を前記第２回転軸線回りに個別に回転させる駆動手段と、
前記駆動手段により回転される前記回転表示機に連動させて前記回転体を前記第１回転軸線回りに回転させる連動手段と、
前記複数の回転表示機の裏面側に各々設けられ、前記第２回転軸線と略直交する方向から光入射部へ入射された光を内部で導くと共にその光を前記回転体と対応する部位に設けられた光出射部から回転体側へ出射する複数の導光手段と、
前記複数の導光手段の前記光入射部へ向けて前記第２回転軸線と略直交する方向から各々光を照射する複数の光照射手段と、
を有することを特徴とする遊技機の表示装置。
【請求項３】
前記表示装置は盤面上に遊技領域が設けられた遊技盤の裏面に設けられ、前記回転表示機は前記第２回転軸線を中心軸線としたリング状とされてその中心軸線が前記盤面に対して略直交する向きに配置されていることを特徴とする請求項２記載の遊技機の表示装置。
【請求項４】
前記回転表示機に前記回転体が複数設けられていることを特徴とする請求項２又は請求項３記載の遊技機の表示装置。
【請求項５】
前記識別情報は、停止表示されたときの向きによって異なる意味を持つ複数種類の情報が表示可能とされていることを特徴とする請求項２〜請求項４の何れか１項記載の遊技機の表示装置。
【請求項６】
前記回転表示機の軸心部と対応する前記表示装置の略中央部に前記中心軸線に沿って開口された空洞部が設けられていることを特徴とする請求項１又は請求項３記載の遊技機の表示装置。
【発明の詳細な説明】
【技術分野】
【０００１】
本発明は、複数の識別情報を変動表示した後に停止表示し、その停止表示された複数の識別情報の表示結果が予め定められた特定の組み合わせとなったときに遊技者に有利な特定の遊技状態を発生しうる遊技機の表示装置に関する。
【背景技術】
【０００２】
複数列の可変表示部で図柄等の識別情報を可変表示し、その表示結果（組み合わせ）が予め定められた大当り図柄等の特定の表示結果となったときに大当り遊技等の特定の遊技状態を発生して遊技者に所定の遊技価値を付与する遊技機の表示装置において、上記の可変表示部に円盤状の回転表示機を用いたものとしてはルーレット式表示装置が知られている。
【０００３】
このルーレット式表示装置で例えばパチンコ機に搭載されるものには、複数の回転表示機の端面に複数種類の図柄（絵柄）を配列した円環状の表示面をそれぞれ形成すると共に、これら表示面を同心円状に配置し、各回転表示機の表示面はそれぞれルーレットの如く互いに独立して回転させ、遊技者が各回転表示機の全ての図柄を目視できるようにしたものがある。また、この表示装置では、各回転表示機の裏面側にバックライト光源となる複数のＬＥＤを配置し、この複数のＬＥＤの発光光によって各回転表示機を照明し、図柄を照らし出すようにしている（例えば、特許文献１参照）。
【特許文献１】特開平７−２０４３１８号公報
【発明の開示】
【発明が解決しようとする課題】
【０００４】
しかしながら、上述した特許文献１の表示装置では、光源（ＬＥＤ）が回転表示機の裏面側に固定的に設けられているため、その光源に対応する位置で停止された図柄しか照明することができない。そのため、複数の位置で停止される各図柄を照明するには、その複数の停止位置に応じた数の光源を設ける必要があり、装置が大型化すると共にコスト高となる。また、例えばこの表示装置によって、回転表示機の回転中に特定の図柄をその回転移動に追従させて照明し続けるような演出を行う場合には、図柄の回転軌跡上に複数の光源を配列すると共に、各光源を図柄の回転移動に追従させて点滅制御する必要があり、構成が更に複雑になる。また、抽選の表示については、回転表示機の回転軸線を中心として放射状に配列された各図柄が各回転表示機の回転に伴って単純に回転移動するだけであり、表示態様が単調で趣向性に乏しい。
【０００５】
また、例えば、複数の図柄が回転方向に沿って設けられた円盤状等の回転表示機を軸線方向に沿って複数配列するような構成の表示装置では、回転表示機の裏面側に配置した光源によって各回転表示機の図柄を照明しようとすると、光源に対応する位置で停止された各回転表示機の図柄が一度に照らし出されるようになるため、一つの回転表示機の特定の図柄のみを照明することは困難である。また、これを解消するためには、各回転表示機の図柄が光源に対応する同一位置で停止しないよう、各回転表示機に設ける複数の図柄の配列を工夫したり、各回転表示機の回転制御を行うなどの制約が生じる。
【０００６】
本発明は上記事実を考慮して、回転表示機に設けられた識別情報を回転移動中でも簡単な構成によって照明することができる遊技機の表示装置を提供することを課題とする。また、複数の回転表示機による表示態様の趣向性や斬新性を向上させつつ、各回転表示機に設けられた識別情報を回転移動中でも簡単な構成によって照明することができる遊技機の表示装置を提供することを課題とする。
【課題を解決するための手段】
【０００７】
上記目的を達成するために請求項１に記載の発明は、光透過性材料により形成され、中心軸線回りに回転可能とされた円盤状の回転表示機と、前記回転表示機を前記中心軸線回りに回転可能に支持する支持手段と、前記回転表示機を前記中心軸線回りに回転させる駆動手段と、前記回転表示機の表面側に設けられた識別情報と、前記回転表示機の裏面側に設けられ、前記中心軸線と略直交する方向から光入射部へ入射された光を内部で導くと共にその光を前記識別情報と対応する部位に設けられた光出射部から前記回転表示機側へ出射する導光手段と、前記導光手段の前記光入射部へ向けて前記中心軸線と略直交する方向から光を照射する光照射手段と、を有することを特徴としている。
【０００８】
請求項１に記載の発明では、図柄等の識別情報が設けられた表面側に設けられた円盤状の回転表示機は、支持手段に支持されて中心軸線回りに回転可能とされる。この回転表示機が駆動手段により中心軸線回りに回転されると、回転表示機に設けられた識別情報は回転移動して変動表示される。また、駆動手段が停止し回転表示機が回転停止されると、識別情報は停止表示される。
【０００９】
この回転表示機に設けられた識別情報を照明する際は、回転表示機の裏面側に設けられた導光手段の光入射部へ向けて、中心軸線と略直交する方向から光照射手段により光を照射する。導光手段の光入射部へ入射された光は、導光手段の内部を導かれ、識別情報と対応する部位に設けられた光出射部から回転表示機側へ出射される。そしてこの光は、光透過性材料により形成された回転表示機を裏面側から表面側へ通過し、この光によって回転表示機の表面側に設けられた識別情報が照明される。
【００１０】
これにより、回転表示機の回転に伴う識別情報の回転移動中であっても、光照射手段から導光手段の光入射部へ向けて光を照射することで識別情報の照明が可能となり、例えば、識別情報の回転軌跡上に複数の光源を配列すると共に、各光源を識別情報の回転移動に追従させて点滅制御するなどの複雑な構成を用いなくても、簡単な構成によって回転移動中の識別情報を常時照明できるようになる。
【００１１】
請求項２に記載の発明は、複数の識別情報を変動表示した後に停止表示し、その停止表示された前記複数の識別情報の表示結果が予め定められた特定の組み合わせとなったときに所定の遊技価値が付与される遊技機の表示装置であって、前記識別情報が設けられ光透過性材料により形成された回転体と、前記回転体をそれぞれ第１回転軸線回りに回転可能に支持する複数の回転表示機と、前記複数の回転表示機を前記第１回転軸線と略平行な第２回転軸線上に同軸的に配置し前記第２回転軸線回りに個別に回転可能に支持する支持手段と、前記複数の回転表示機を前記第２回転軸線回りに個別に回転させる駆動手段と、前記駆動手段により回転される前記回転表示機に連動させて前記回転体を前記第１回転軸線回りに回転させる連動手段と、前記複数の回転表示機の裏面側に各々設けられ、前記第２回転軸線と略直交する方向から光入射部へ入射された光を内部で導くと共にその光を前記回転体と対応する部位に設けられた光出射部から回転体側へ出射する複数の導光手段と、前記複数の導光手段の前記光入射部へ向けて前記第２回転軸線と略直交する方向から各々光を照射する複数の光照射手段と、を有することを特徴としている。
【００１２】
請求項２に記載の発明では、図柄等の識別情報が設けられた回転体は、回転表示機に支持されて第１回転軸線回りに回転可能とされる。この回転体を備えた回転表示機は表示装置に複数設けられ、それら複数の回転表示機は支持手段に支持されて、第１回転軸線と略平行な第２回転軸線上に同軸的に配置され第２回転軸線回りに個別に回転可能とされるため、各回転表示機に設けられた各々の回転体は第２回転軸線回りにも回転可能とされる。
【００１３】
ここで、駆動手段により複数の回転表示機が第２回転軸線回りに個別に回転されると、各回転表示機に設けられた各々の回転体は、第２回転軸線回りに回転移動（公転）しつつ、連動手段によって回転表示機の回転に連動され第１回転軸線回りに回転（自転）し、各回転体に設けられた識別情報はそれぞれ変動表示される。また、駆動手段が停止し各回転表示機が回転停止されると、各回転体は第２回転軸線回りの回転移動及び第１回転軸線回りの回転を停止し、各回転体に設けられた識別情報はそれぞれ停止表示される。
【００１４】
このように、この表示装置では、複数の識別情報が回転体の自転と、回転表示機の回転に伴う回転体の公転との組み合わせによって向き（姿勢）を変化させるため、例えば、識別情報の向きが回転表示機の回転のみで変化する構成等に比べて動きが複雑となり、また、複数の識別情報の組み合わせ確定位置（有効ライン）を設定する上では自由度が高まって、複数の識別情報（回転体）を第２回転軸線回りの回転軌跡（公転軌跡）上におけるより広い範囲で停止させ有効ラインを形成することができるようになり、表示領域を有効に使用することができる。これにより、遊技機の正面に位置して遊技を行う遊技者は、表示装置によって複数の識別情報がそれぞれ公転しつつ自転して複雑に変動表示される様子と、変動表示後の停止表示で形成される有効ラインとを、表示領域の広い範囲で注目するようになり、この表示装置であれば、複数の回転表示機による表示態様の趣向性や斬新性を向上させることができる。
【００１５】
また、各回転表示機の回転体に設けられた識別情報を照明する際は、回転表示機の裏面側に設けられた導光手段の光入射部へ向けて、第２回転軸線と略直交する方向から光照射手段により光を照射する。導光手段の光入射部へ入射された光は、導光手段の内部を導かれ、回転体と対応する部位に設けられた光出射部から回転体側へ出射される。そしてこの光は、光透過性材料により形成された回転体を裏面側から表面側へ通過し、この光によって回転体に設けられた識別情報が照明される。
【００１６】
これにより、回転表示機の回転に伴う回転体及び識別情報の回転移動中であっても、光照射手段から導光手段の光入射部へ向けて光を照射することで識別情報の照明が可能となり、簡単な構成によって回転移動中の識別情報を常時照明できるようになる。
【００１７】
請求項３に記載の発明は、請求項２記載の遊技機の表示装置において、前記表示装置は盤面上に遊技領域が設けられた遊技盤の裏面に設けられ、前記回転表示機は前記第２回転軸線を中心軸線としたリング状とされてその中心軸線が前記盤面に対して略直交する向きに配置されていることを特徴としている。
【００１８】
請求項３に記載の発明では、盤面上に遊技領域が設けられた遊技盤の裏面に表示装置を設ける構成の場合、回転表示機は第２回転軸線を中心軸線としたリング状とすることで、回転表示機を中心軸線方向に薄く形成することができ、さらに、中心軸線が遊技盤の盤面に対して略直交する向きとなるよう回転表示機を配置することにより、遊技盤の裏面側に設ける回転表示機の後側へ突出が抑えられて設置スペースを小さくすることができる。これにより、回転表示機を複数搭載する構成でも表示装置を小型化することができ、例えば、遊技盤の裏面側に設ける制御基板や各種部品の大きさ、レイアウト等に与える影響を小さくすことができる。
【００１９】
請求項４に記載の発明は、請求項２又は請求項３記載の遊技機の表示装置において、前記回転表示機に前記回転体が複数設けられていることを特徴としている。
【００２０】
請求項４に記載の発明では、１つの回転表示機に回転体を複数設けることにより、少数の回転表示機でも多数の回転体（識別情報）が設けられるようになる。これにより、表示装置を小型に構成しながらも、多数の識別情報を用いて多数種類の有効ラインを形成することができ、有効ラインのパターンを多彩化できる。
【００２１】
請求項５に記載の発明は、請求項２〜請求項４の何れか１項記載の遊技機の表示装置において、前記識別情報は、停止表示されたときの向きによって異なる意味を持つ複数種類の情報が表示可能とされていることを特徴としている。
【００２２】
請求項５に記載の発明では、１つの識別情報により、その識別情報を停止表示させるときの向き（姿勢）を変えることで異なる意味を持つ複数種類の情報を表示できるため、少数の識別情報でも異なる種類の結果をより多く表示できるようになる。これにより、識別情報の表示結果及び有効ラインのパターンを更に多彩化することができる。
【００２３】
請求項６に記載の発明は、請求項１又は請求項３記載の遊技機の表示装置において、前記回転表示機の軸心部と対応する前記表示装置の略中央部に前記中心軸線に沿って開口された空洞部が設けられていることを特徴としている。
【００２４】
請求項６に記載の発明では、円盤状又はリング状とされた回転表示機の軸心部と対応する表示装置の略中央部に、中心軸線（第２回転軸線）に沿って開口された空洞部を設けることにより、その空洞部に、例えば、表示装置による複数の識別情報の変動及び停止表示後に遊技の最終確定結果を表示する他の表示装置を設けることが可能となる。これにより、表示装置の複数の識別情報によって表示される表示結果（有効ライン）と、表示装置の略中央部に配置される他の表示装置によって表示される表示結果とを組み合わせた、より多彩で趣向性及び斬新性に富んだ表示を行うことができる。
【発明の効果】
【００２５】
本発明の遊技機の表示装置は上記構成としたので、回転表示機に設けられた識別情報を回転移動中でも簡単な構成によって照明することができる。また、複数の回転表示機による表示態様の趣向性や斬新性を向上させつつ、各回転表示機に設けられた識別情報を回転移動中でも簡単な構成によって照明することができる。
【発明を実施するための最良の形態】
【００２６】
以下、本発明の実施形態に係るパチンコ機について図面を参照して説明する。
【００２７】
図１には本発明の一実施形態に係るパチンコ機が示され、図２には本実施形態に係るパチンコ機に適用される内枠、ガラス枠、及び遊技盤が示されている。
【００２８】
図１に示されるように、パチンコ機１０は、パチンコ機１０の外郭を構成するとともにパチンコホールの島設備に設置される矩形状の外枠１２を備えている。外枠１２の前面には矩形額縁状の内枠１４が配置されており（図２参照）、内枠１４は、外枠１２に設けられた一対のヒンジ部１６、１８に左側端部が軸支されて開閉可能に取り付けられている。また外枠１２の前面下部には、化粧パネルとなる下飾り２０が取り付けられている。
【００２９】
内枠１４の前面上部には、ガラス板２２を装着したガラスフレーム２４を窓部２５に備えるガラス枠２６が配置されており、ガラス枠２６は左側端部が内枠１４に軸支されて開閉可能に取り付けられている。また、ガラスフレーム２４に装着されたガラス板２２は、図１の紙面奥行き方向に所定の間隔で互いに平行に配置された一対のガラス板からなる二重構造となっている。このガラス枠２６の裏面側となる内枠１４の上部には、矩形状の開口部２８が設けられている（図２参照）。開口部２８には、交換可能とされた遊技盤１００がセットされており、遊技盤１００は、ガラス枠２６を内枠１４に閉塞した状態でガラス枠２６（ガラス板２２）に覆われるようになっている。
【００３０】
ガラス枠２６の前面には、遊技の進行に応じて点灯又は点滅等し照明による演出効果を生み出す演出用の表示灯１４２がガラス板２２（遊技盤１００の遊技領域１０１）を取り囲むように配置されており、さらに左上隅及び右上隅には、賞球払出エラー及び払出状態エラー等の各種エラーを報知するエラー用の表示灯１４４が配置されている。また、各エラー用の表示灯１４４の内側には、遊技の効果音をステレオ出力するスピーカー１４６Ｌ、１４６Ｒが配設されている。
【００３１】
内枠１４の前面下部には、一般的な上皿及び下皿の機能を兼ね備える打球供給皿としての一体皿３０が配置されている。一体皿３０は、パネル部材３２の左側端部が内枠１４に軸支されて開閉可能に取り付けられており、パネル部材３２の前面には、上部に遊技球を貯える球皿部３４が形成された球皿本体３６が突設されている。
【００３２】
球皿部３４の底面は、正面視にて左側から右側へ下り傾斜しており、その傾斜方向下流側となる左側には、遊技球を１列に整列してパネル部材３２の裏面に配置された球送り装置（図示省略）に送り込むための整列通路が設けられている。パネル部材３２の前面の右側上部には、パチンコ機１０内に設けられた賞球払出装置（図示省略）から払い出された賞球が排出される賞球排出口４６が形成されている。この賞球排出口４６から排出された賞球は球皿部３４に貯留され、球皿部３４内を左方向へ流下し整列通路により１列に整列されて球送り装置に送り込まれる。
【００３３】
また、パネル部材３２の前面における左側下部には灰皿３８が設けられ、右側下部には打球の発射力（飛距離）を調整するための発射ハンドル３９が取り付けられている。
【００３４】
図２に示されるように、内枠１４の前面下部における一体皿３０の裏面側には、遊技盤１００の左下に発射装置４０が配置され、球皿本体３６の後方に位置して、内枠１４に着脱可能に構成された貯球タンク４２が２個のプラスチックファスナー４３によって取り付けられている。これらの発射装置４０及び貯球タンク４２は、一体皿３０を内枠１４に閉塞すると一体皿３０に覆われるようになっている。
【００３５】
貯球タンク４２は、上面が開口した箱型とされ、底面４４が正面視にて左側から右側へ下り傾斜している。底面４４の傾斜方向上流側となる貯球タンク４２の左側面部には図示しないタンク入口が形成され、傾斜方向下流側となる貯球タンク４２の前面右側端部には、一体皿３０のパネル部材３２に設けられた賞球排出口４６と対応する位置にタンク出口４５が形成されている。したがって、一体皿３０を内枠１４に閉塞した状態では、貯球タンク４２と一体皿３０の球皿部３４とが、タンク出口４５及び賞球排出口４６を介して連通される。
【００３６】
また、一体皿３０のパネル部材３２裏面における賞球排出口４６の下方位置と、内枠１４前面の下部右側におけるタンク出口４５の下方位置とには、上下方向に移動可能とされたシャッター板がそれぞれ設けられている（図２では内枠１４側のシャッター板５０のみを図示している）。これらのシャッター板は、一体皿３０が閉塞されると各々下方へ移動して（図２に示したシャッター板５０の位置）、タンク出口４５と賞球排出口４６とを連通させ、一体皿３０が開放されると各々上方へ移動して、内枠１４側のシャッター板５０はタンク出口４５の下縁側を、一体皿３０側のシャッター板は賞球排出口４６の下縁側を塞ぐよう構成されている。このシャッター板により、一体皿３０を開放した際は、貯球タンク４２及び球皿部３４から遊技球（賞球）が流出しないようせき止められる。
【００３７】
内枠１４裏面の左側端部（正面視右側端部）には、上下方向に延出された施錠装置５２が取り付けられている。施錠装置５２の下部にはシリンダー錠（錠前）５４が設けられており、シリンダー錠５４の鍵孔５６は、内枠１４前面の右下部に設けられた台座５５から露出されている。
【００３８】
施錠装置５２の裏面側における上下端部近傍には、後方へ突出された一対の内枠固定用フック６０Ａ、６０Ｂが設けられている。施錠装置５２の前面側におけるガラス枠２６との対応位置には、一対のガラス枠固定用フック６２Ａ、６２Ｂが設けられており、このガラス枠固定用フック６２Ａ、６２Ｂは、内枠１４前面の右側端部に形成されたスリット６４Ａ、６４Ｂを通して前方へ突出されている。また、施錠装置５２の前面側における一体皿３０との対応位置には、上下方向にスライドする一対の一体皿固定用鍵受け部材６６Ａ、６６Ｂが設けられている。
【００３９】
これにより、内枠１４を外枠１２に閉塞すると、施錠装置５２の内枠固定用フック６０Ａ、６０Ｂが外枠１２の正面視右内側面設けられた一対の鍵受け部（図示省略）に係合し、内枠１４は外枠１２に保持される。ガラス枠２６を内枠１４に閉塞すると、ガラス枠２６裏面の右側端部に取り付けられているガラス枠補強板６８に設けられた一対の鍵受け部７０Ａ、７０Ｂが施錠装置５２のガラス枠固定用フック６２Ａ、６２Ｂに係合し、ガラス枠２６は内枠１４に保持される。また、一体皿３０を内枠１４に閉塞すると、一体皿３０裏面の右側端部に取り付けられている一対のフック（図示省略）が施錠装置５２の一体皿固定用鍵受け部材６６Ａ、６６Ｂに係合し、一体皿３０は内枠１４に保持される。
【００４０】
また、内枠固定用フック６０Ａ、６０Ｂ及びガラス枠固定用フック６２Ａ、６２Ｂは、シリンダー錠５４の鍵孔５６に図示しない鍵を差し込んで所定の方向に回すことにより、それぞれ係合状態が解除され解錠されるようになっている。一体皿固定用鍵受け部材６６Ａ、６６Ｂは、ガラス枠２６を開放すると露出される施錠装置５２の解除レバー７２を押し下げることにより、一体皿固定用鍵受け部材６６Ａ、６６Ｂが下方へスライドして一体皿３０の各フックとの係合状態が解除されるようになっている。
【００４１】
この施錠装置５２により、内枠１４は外枠１２に、ガラス枠２６は内枠１４にそれぞれ施錠されるとともに、一体皿３０は内枠１４にロックされて、それぞれ閉塞状態に固定される。
【００４２】
図２に示されるように、遊技盤１００は、装飾画（図示省略）を印刷した樹脂製シート状のセルが基板であるベニヤ板に貼着されてそのセルの表面が盤面１００Ａとなっている。盤面１００Ａの外周端部付近には、円弧状の外レール１０２及び内レール１０４が取り付けられており、これらの外レール１０２、内レール１０４によって囲まれた円形状の領域は、遊技球が移動可能な遊技領域１０１とされている。
【００４３】
遊技領域１０１には、ほぼ中央に表示装置２００及びセンター飾り３６０が配置され、他に、入賞口や始動口（スタート・チャッカー）、又、大入賞口（アタッカー）を備えた変動入賞装置（特別電動役物）等がそれぞれ所定の位置に配置されると共に、遊技領域１０１内を落下する遊技球を所定の経路に誘導する多数の遊技釘等が設けられており（何れも図示省略）、最下位置にアウト口１０６が配置されている。
【００４４】
次に、本実施形態に係るパチンコ機１０の遊技盤１００に搭載された表示装置２００について図２〜図１３を用いて説明する。
【００４５】
図３に示されるように、遊技盤１００の遊技領域１０１におけるほぼ中央には、円形の開口１０８が形成されている。表示装置２００は、この開口１０８に対し所定の位置に位置合わせされて遊技盤１００の裏面１００Ｂに取り付けられており、遊技盤１００の盤面１００Ａには、表示装置２００に対応するセンター飾り３６０が開口１０８及び表示装置２００に対し所定の位置に位置合わせされて取り付けられている（図２参照）。
【００４６】
図４に示されるように、表示装置２００は、有底で略円筒状とされたケーシング２０２を備えており、ケーシング２０２の内部には、図柄Ｘ（図６参照）が設けられた表示体２５０を有する表示機２２０（前表示機２２０Ａ及び後表示機２２０Ｂ）、表示機２２０の取付位置を定めるスペーサー２６６Ａ、２６６Ｂ、表示機２２０の回転に連動させて表示体２５０を回転させるための固定ギア２７０Ａ、２７０Ｂ等の各部品が収容されてそれぞれ所定の位置に取り付けられており、ケーシング２０２の外周部には、表示機２２０を回転駆動するステッピングモーター２８０Ａ、２８０Ｂ、表示体２５０を照明する投光器２９０Ａ、２９０Ｂが配置されてそれぞれ所定の位置に取り付けられている（図３参照）。
【００４７】
ケーシング２０２は、円形状の底板部２０４、底板部２０４の外周縁に設けられた外筒部２０６、及び、底板部２０４の中央部（軸心部）に外筒部２０６と同軸的に設けられた内筒部２０８を備えており、内筒部２０８は図３及び図４に示される前後方向に貫通して空洞部２０９を形成している。
【００４８】
図３及び図４に示されるように、外筒部２０６における左上部と右上部とには、周方向に沿った所定の範囲が径方向外側（左斜め上方及び右斜め上方）へ突出された突出部がそれぞれ設けられており、これらの突出部は、詳細については後述するステッピングモーター２８０Ａ、２８０Ｂが取り付けられるモーター取付部２１０Ａ、２１０Ｂとされている。また、外筒部２０６におけるモーター取付部２１０Ａ、２１０Ｂの前側には筒壁を矩形状に切り欠いた切り欠き２１２Ａ、２１２Ｂが形成されている。
【００４９】
外筒部２０６の後縁には、円弧状のフランジ２１４が設けられている。このフランジ２１４の前面には、周方向に沿って略９０度間隔で配置された４対の長軸状のボス２１６Ａと、各対のボス２１６Ａの右側に隣接し周方向に沿って略９０度間隔で配置された４対の短軸状のボス２１６Ｂとが立設されており、これらの４対のボス２１６Ａ、２１６Ｂには、詳細については後述する投光器２９０Ａ、２９０Ｂがそれぞれ取り付けられる。
【００５０】
外筒部２０６の外周面には、外筒部２０６の周方向に沿って延出されたスリット２１８Ａが４対のボス２１６Ａに対応して（各ボス２１６Ａの間に位置して）４個形成されており、同じく外筒部２０６の周方向に沿って延出されたスリット２１８Ｂが４対のボス２１６Ｂに対応して（各ボス２１６Ｂの間に位置して）４個形成されている。また、外筒部２０６の内周面には、底板部２０４から前方へ所定長さ（高さ）延出された位置決めリブ２１９が複数設けられている（図４では位置決めリブ２１９を１箇所のみ図示している）。
【００５１】
図４に示されるように、本実施形態の表示装置２００は、前側（表側）に配置された前表示機２２０Ａと、後側（裏側）に配置された後表示機２２０Ｂとの計２個の表示機を備えている。本実施形態では、これらの前表示機２２０Ａ及び後表示機２２０Ｂは同一構成とされており、以下の表示機の構成に関する説明では、それらを区別せずに表示機２２０として説明する。
【００５２】
図５に示されるように、表示機２２０は、同軸的に配置された小径の内リング２２４及び大径の外リング２２６を有する二重のリング状とされた表示機本体２２２を備えている。
【００５３】
表示機本体２２２の内リング２２４は、内径がケーシング２０２の内筒部２０８の外径よりも僅かに大きくされ、内筒部２０８に挿入されて回転可能となるよう形成されている。外リング２２６は、外径がケーシング２０２の外筒部２０６の内径よりも少し小さくされ、外周面にギア部２２８が形成されている。また、これらの内リング２２４及び外リング２２６は、互いの間に設けられた２つの表示体取付部２３０により接続されて一体的に形成されている。
【００５４】
２つの表示体取付部２３０は、表示機本体２２２（表示機２２０）の中心軸線である軸線Ｈ２を中心として周方向に１２０度の間隔で配置されており、図５に示されるように、中央部に円形の開口２３１が形成されたリング状とされている。各表示体取付部２３０には、内リング２２４との接続側に位置決めギア取付部２３２が２個設けられ、外リング２２６との接続側に表示体回転駆動ギア取付部２３４が１個設けられ、これらの位置決めギア取付部２３２及び表示体回転駆動ギア取付部２３４は正面視にて二等辺三角形状に配置されている（図６参照）。また、位置決めギア取付部２３２及び表示体回転駆動ギア取付部２３４を含む表示体取付部２３０の前面側には凹段部が設けられている。
【００５５】
２つの位置決めギア取付部２３２の前面には、凹段部内に位置決めギア２３６がそれぞれ嵌め込まれて収容されており、各位置決めギア２３６は、位置決めギア取付部２３２前面の略中央部に立設された軸２３８に回転可能に支持されている。
【００５６】
表示体回転駆動ギア取付部２３４の前面には、凹段部内に表示体回転駆動ギア２４０が嵌め込まれて収容されており、この表示体回転駆動ギア２４０は、表示体回転駆動ギア取付部２３４前面の略中央部に立設された軸２４２に回転可能に支持されている。
【００５７】
また、表示体取付部２３０の前面中央には、凹段部内に表示体２５０が嵌め込まれて収容されている。表示体２５０は、光透過性を有する無色透明又は有色透明の合成樹脂等によって、表示体取付部２３０の開口２３１よりも少し大径の円盤状に形成されており、図６に示されるように、表面２５０Ａに１つの図柄Ｘが印刷又はシール等によって設けられている。そして、表示体取付部２３０への取付状態では、開口２３１を塞ぎ、また、外周面に形成されたギア部２５２が２つの位置決めギア取付部２３２及び表示体回転駆動ギア２４０に噛み合っている（図１１参照）。これにより、表示体２５０は、２つの位置決めギア２３６及び表示体回転駆動ギア２４０に挟み込まれて３点で支持され、中心軸線（軸線Ｈ１）が表示体取付部２３０の開口２３１の中心に一致するよう位置決めされている。
【００５８】
この表示体取付部２３０の前面には、表示体取付部２３０と略同形状とされた表示体カバー２５４が取り付けられている。表示体カバー２５４は、中央部に円形の開口２５６が形成されたリング状とされており、この開口２５６は表示体取付部２３０の開口２３１よりも少し小径とされている（図１１参照）。また、表示体取付部２３０の表示体回転駆動ギア取付部２３４と対応する部位の外側の端部（図５に示される分解状態の表示体カバー２５４の向きでは上端部）には、切り欠き２５８が形成されている。
【００５９】
この表示体カバー２５４は、表示体取付部２３０の前面に図５に示される向きで重ね合わせられ、開口２５６の中心が表示体取付部２３０の開口２３１の中心に一致するよう位置合わせされて取り付けられており、この表示体カバー２５４によって、２つの位置決めギア２３６、表示体回転駆動ギア２４０、及び表示体２５０が表示体取付部２３０の凹段部内から離脱しないよう保持されている。また、表示体カバー２５４の切り欠き２５８からは、表示体回転駆動ギア２４０の一部が外部（表示機２２０の径方向外側）へ突出されている。
【００６０】
このようにして表示機本体２２２の表示体取付部２３０に取り付けられた表示体２５０は、中心軸線である軸線Ｈ１が表示機２２０の軸線Ｈ２と略平行にされると共に軸線Ｈ１回りに回転可能とされ、その回転動作は、二等辺三角形状に配置された２つの位置決めギア２３６及び表示体回転駆動ギア２４０に挟み込まれて３点で支持されていることにより円滑に行われる。また、表示体２５０の裏面２５０Ｂは表示体取付部２３０の開口２３１から露出され、表面２５０Ａは表示体カバー２５４の開口２５６から露出されており、これにより、表示体２５０の表面２５０Ａに設けられた図柄Ｘは表示体カバー２５４の開口２５６を通して表示装置２００の正面側から視認可能となる。
【００６１】
表示機２２０は以上の構成とされており、この表示機２２０では、表示体回転駆動ギア２４０が回転されると、その回転駆動力が表示体２５０に伝えられ、表示体回転駆動ギア２４０及び２つの位置決めギア２３６と共に表示体２５０が軸線Ｈ１回りに回転する。
【００６２】
図５に示されるように、表示機２２０の裏面には、軸心部に円形の孔部２６２が形成された円盤状（リング状）の導光板２６０が取り付けられている。
【００６３】
導光板２６０は、透明なアクリル樹脂等の光透過性を有する材料で所定の板厚に形成されており、図７〜図１１に示されるように、内径が表示機本体２２２の内リング２２４の内径に揃えられ、外径が表示機本体２２２の外リング２２６の外径よりも少し小さくされて、表示機本体２２２よりも一回り小さくされている。また、導光板２６０の表面２６０Ａには、表示機本体２２２の各表示体取付部２３０の開口２３１に対応する部位に、円形のダイヤモンドカット部２６４が２個形成されている。このダイヤモンドカット部２６４には、図１２に示されるように、多数の微小な四角錐状（ピラミッド状）の突起部が設けられており、それら多数の突起部は、所定の円形領域内で直交する２方向（縦及び横方向）に一定間隔で配列されている。
【００６４】
この導光板２６０は、表示機２２０（表示機本体２２２）の裏面に、各ダイヤモンドカット部２６４が各表示体取付部２３０の開口２３１に重ね合わせられるよう中心軸線を中心とする円周方向（回転方向）の位置が合わせられて、同軸的に取り付けられている（図１１参照）。
【００６５】
前述したように、本実施形態の表示装置２００には、同一構成の表示機２２０が２個設けられており、これらの前表示機２２０Ａ及び後表示機２２０Ｂは、図４に示されるように、ケーシング２０２の内筒部２０８に、リング状のスペーサー２６６Ｂ、後表示機２２０Ｂ、リング状のスペーサー２６６Ａ、前表示機２２０Ａの順に挿入されてケーシング２０２内に収容されている（図７〜図１１参照）。その状態で、前表示機２２０Ａ及び後表示機２２０Ｂは、内筒部２０８に支持されて同軸的に配置され、軸線Ｈ２回りに個別に回転可能とされている。また、前表示機２２０Ａ及び後表示機２２０Ｂは、スペーサー２６６Ａ、２６６Ｂにより前後方向の取付位置が決められて前後方向に所定の間隔で配列されており、その状態で、図９に示されるように、前表示機２２０Ａの裏面に設けられた導光板２６０の外周面２６０Ｃがケーシング２０２の各スリット２１８Ａに対向し、図１０に示されるように、後表示機２２０Ｂの裏面に設けられた導光板２６０の外周面２６０Ｃがケーシング２０２の各スリット２１８Ｂに対向している。
【００６６】
また、ケーシング２０２内には、図４に示されるように、前表示機２２０Ａ及び後表示機２２０Ｂの回転に連動させて各表示体２５０を回転させるための固定ギア２７０Ａ、２７０Ｂと、前表示機２２０Ａ及び後表示機２２０Ｂの回転位置を検出する図示しないセンサが取り付けられている。
【００６７】
センサは、前表示機２２０Ａ及び後表示機２２０Ｂに対応して１個ずつ設けられ、各表示機の回転時にスリット等の図示しない検出部を検出してその検出信号をパチンコ機１０内の制御部に出力する。この検出信号に基づいて、制御部は各表示機の原点位置を把握し、後述するステッピングモーター２８０Ａ、２８０Ｂを制御する。
【００６８】
固定ギア２７０Ａ、２７０Ｂは、表示機本体２２２よりも一回り大きいリング状で、内周縁にギア部２７２Ａ、２７２Ｂが形成された内歯車に構成されている。
【００６９】
固定ギア２７０Ａの外周面には、ケーシング２０２の外筒部２０６に形成された切り欠き２１２Ａ、２１２Ｂに対応する凸部２７４が２個設けられており、さらに、ケーシング２０２の外筒部２０６に形成された４個のスリット２１８Ａに対応する、周方向に沿って延出されたスリット２７６が４個形成されている。また、固定ギア２７０Ｂの外周面には、ケーシング２０２の外筒部２０６に形成された切り欠き２１２Ｂに対応する凸部２７８が設けられている。
【００７０】
これらの固定ギア２７０Ａ、２７０Ｂは、ケーシング２０２の外筒部２０６に、固定ギア２７０Ｂ、固定ギア２７０Ａの順に嵌め入れられてケーシング２０２内に収容されている（図８〜図１１参照）。その取付状態では、固定ギア２７０Ｂは、ケーシング２０２の外筒部２０６内周面に複数設けられた位置決めリブ２１９に当接して前後方向の取付位置が決められ、凸部２７８がケーシング２０２の切り欠き２１２Ｂに嵌め込まれることで回転不能とされている。また、固定ギア２７０Ａは、固定ギア２７０Ｂに当接して前後方向の取付位置が決められ、２つの凸部２７４がケーシング２０２の切り欠き２１２Ａ、２１２Ｂにそれぞれ嵌め込まれることで回転不能にされると共に、図９に示されるように、各スリット２７６がケーシング２０２の各スリット２１８Ａに位置合わせされて各スリット２１８Ａの内側に隣接配置されている。そして、固定ギア２７０Ａ、２７０Ｂは、前表示機２２０Ａ及び後表示機２２０Ｂの軸線Ｈ２と略同軸的に配置されると共に互いに前後方向に所定の間隔で配列され、その状態で、固定ギア２７０Ａのギア部２７２Ａが前表示機２２０Ａの２つの表示体回転駆動ギア２４０に噛み合い、固定ギア２７０Ｂのギア部２７２Ｂが後表示機２２０Ｂの２つの表示体回転駆動ギア２４０に噛み合っている。
【００７１】
また、表示装置２００には、前表示機２２０Ａ及び後表示機２２０Ｂを個別に回転駆動するための駆動源（駆動手段）として、各表示機に対応する２つのステッピングモーター２８０Ａ、２８０Ｂが設けられている。
【００７２】
図６及び図８に示されるように、ステッピングモーター２８０Ａは、ケーシング２０２のモーター取付部２１０Ａに取り付けられており、その取付状態で、ステッピングモーター２８０Ａの回転軸先端部に取り付けられた駆動ギア２８２Ａが前表示機２２０Ａの外リング２２６外周面に形成されたギア部２２８に噛み合っている。また、図６及び図７に示されるように、ステッピングモーター２８０Ｂは、ケーシング２０２のモーター取付部２１０Ｂに取り付けられており、その取付状態で、ステッピングモーター２８０Ｂの回転軸先端部に取り付けられた駆動ギア２８２Ｂが後表示機２２０Ｂの外リング２２６外周面に形成されたギア部２２８に噛み合っている。
【００７３】
これにより、ステッピングモーター２８０Ａ、２８０Ｂが作動して駆動ギア２８２Ａ、２８２Ｂを回転駆動させると、駆動ギア２８２Ａ、２８２Ｂに外リング２２６のギア部２２８が噛み合っている表示機本体２２２が回転され、前表示機２２０Ａ及び後表示機２２０Ｂは軸線Ｈ２回りに回転する。さらに、各表示機が軸線Ｈ２回りに回転すると、各表示機に設けられた各表示体回転駆動ギア２４０が軸線Ｈ２回りに回転移動しながら固定ギア２７０Ａ、２７０Ｂのギア部２７２Ａ、２７２Ｂとの噛み合いによって回転し、この表示体回転駆動ギア２４０の回転によって、前述したように各表示体２５０が軸線Ｈ１回りに回転する。また、本実施形態では、表示機２２０の回転方向と各表示体２５０の回転方向とは同じ方向になり、例えば、表示機２２０が時計方向に回転（正転）する場合には、表示体２５０も時計方向に回転する。
【００７４】
また、表示装置２００には、前表示機２２０Ａの２つの表示体２５０、及び、後表示機２２０Ｂの２つの表示体２５０を個別に照明するするための光源（光照射手段）として、各表示機に対応する投光器２９０Ａ、２９０Ｂが４個ずつ設けられている。
【００７５】
図９及び図１０に示されるように、投光器２９０Ａ、２９０Ｂは、断面の外形形状が略クサビ状とされ内部が空洞とされたハウジング２９２を備えている。ハウジング２９２の先端部には、ケーシング２０２のスリット２１８Ａ、２１８Ｂに対応するスリット２９４が形成されており、ハウジング２９２内における底面には、片面にＬＥＤ２９６が実装されたＬＥＤ基板２９８が取り付けられている。なおこのＬＥＤ２９６からなる光源は、赤色（Ｒ）に発光する赤色ＬＥＤ、緑色（Ｇ）に発光する緑色ＬＥＤ、及び、青色（Ｂ）に発光する青色ＬＥＤの３つのＬＥＤによって構成されており、それら各色のＬＥＤは、図９における紙面奥行き方向に沿ってＬＥＤ基板２９８上に配列され、発光光がスリット２９４側へ出射されるよう配置されている。
【００７６】
また、ハウジング２９２内には、スリット２９４とＬＥＤ２９６の間に位置して、断面形状が略クサビ状とされたレンズ３００が設けられている。このレンズ３００によって、ＬＥＤ２９６から出射された光が集光され、スリット２９４から外部へ照射される。
【００７７】
投光器２９０Ａ、２９０Ｂは以上の構成とされており、図４に示されるように、４個の投光器２９０Ａは、ケーシング２０２に設けられた４対のボス２１６Ａにそれぞれネジ止めされて取り付けられ、その取付状態では、図９に示されるように、ハウジング２９２のスリット２９４がスリット２１８Ａに位置合わせされる。また、４個の投光器２９０Ｂは、ケーシング２０２に設けられた４対のボス２１６Ｂにそれぞれネジ止めされて取り付けられ、その取付状態では、図１０に示されるように、ハウジング２９２のスリット２９４がスリット２１８Ｂに位置合わせされる。
【００７８】
これにより、４個の投光器２９０Ａからそれぞれ出射された光は、各スリット２１８Ａを通してケーシング２０２内に入り、前表示機２２０Ａの裏面に配置された導光板２６０の外周面２６０Ｃに照射されてそこから導光板２６０の内部へ入射する。また、４個の投光器２９０Ｂからそれぞれ出射された光は、各スリット２１８Ｂを通してケーシング２０２内に入り、後表示機２２０Ｂの裏面に配置された導光板２６０の外周面２６０Ｃに照射されてそこから導光板２６０の内部へ入射する。
【００７９】
図１３に示されるように、各導光板２６０内へ入射した光ＬＩは、導光板２６０内を面方向に沿って直進及び全反射しながら伝搬される。そして、全反射しながら導かれた光ＬＩがダイヤモンドカット部２６４に達すると、その光は、ダイヤモンドカット部２６４に設けられた多数の微小な突起部の斜面によって屈折され、導光板２６０の表面２６０Ａ側及び裏面２６０Ｂ側へ出射される。このダイヤモンドカット部２６４から導光板２６０の表面２６０Ａ側へ出射された光ＬＯにより、ダイヤモンドカット部２６４の前方に位置する表示体２５０は裏面２５０Ｂ側から照明され、表示体２５０の表示体２５０に設けられた図柄Ｘが照らし出される。
【００８０】
本実施形態の表示装置２００は以上の構成とされており、この表示装置２００は、軸線Ｈ２（前表示機２２０Ａ及び後表示機２２０Ｂの中心軸線）が開口１０８の中心と一致するよう位置決めされると共に、遊技盤１００の裏面１００Ｂにネジ止めされて取り付けられており、その取付状態では、軸線Ｈ２が遊技盤１００の盤面１００Ａに対して略直交している。
【００８１】
遊技盤１００の盤面１００Ａに取り付けられるセンター飾り３６０は、図３に示されるように、開口１０８よりも一回り大きい円盤状とされ、その中心部に、表示装置２００の空洞部２０９に対応する円形孔３６２が形成されている。円形孔３６２の外側には、円形孔３６２を中心とする円周に沿って湾曲された一対の楕円孔３６４Ｌ、３６４Ｒが円形孔３６２を挟んだ左右対称位置に形成されており、この一対の楕円孔３６４Ｌ、３６４Ｒは、各表示体２５０の軸線Ｈ２回りの回転軌跡に対応して所定の範囲が開口されている。そしてこのセンター飾り３６０は、円形孔３６２の中心が遊技盤１００の開口１０８の中心及び表示装置２００に設けられた前表示機２２０Ａ及び後表示機２２０Ｂの中心軸線（軸線Ｈ２）と一致するよう位置決めされ、図２に示されるように、遊技盤１００の盤面１００Ａに取り付けられている。
【００８２】
以上の構成により、遊技盤１００には表示装置２００及びセンター飾り３６０が取り付けられており、この遊技盤１００を備える本実施形態のパチンコ機１０では、遊技時に、例えば、始動口への入賞等を契機として制御部で抽選処理が実行される。さらに、制御部に制御されてステッピングモーター２８０Ａ、２８０Ｂが回転駆動すると、前表示機２２０Ａ及び後表示機２２０Ｂが回転され、各表示体２５０は軸線Ｈ２回りに回転移動（公転）しつつ軸線Ｈ１回りに回転（自転）し、各表示体２５０に設けられた図柄Ｘはそれぞれ変動表示される。また、抽選結果に基づき制御部に制御されて、ステッピングモーター２８０Ａ、２８０Ｂが駆動停止すると、前表示機２２０Ａ及び後表示機２２０Ｂが回転停止され、各表示体２５０は軸線Ｈ２回りの回転移動及び軸線Ｈ１回りの回転を停止し、各表示体２５０に設けられた図柄Ｘはそれぞれ停止表示される。そして、パチンコ機１０の正面に位置して遊技を行う遊技者は、表示装置２００により各図柄Ｘが変動及び停止表示される様子を、センター飾り３６０の楕円孔３６４Ｌ、３６４Ｒを通して目視し、停止表示された各図柄Ｘの表示結果（組み合わせ）が予め定められた大当り図柄等の特定の表示結果となったとき（例えば、４つの図柄Ｘのうちの２つが同じ図柄（例えば、「７、７」）となって揃ったときなど）には、パチンコ機１０により大当り遊技等の特定の遊技状態が発生されて遊技者に所定の遊技価値が付与される。なお、後表示機２２０Ｂの各表示体２５０に設けられた図柄Ｘが変動及び停止表示される様子は、表示装置２００の正面側からは、前表示機２２０Ａの表示機本体２２２に設けられた内リング２２４と外リング２２６との間から、前表示機２２０Ａの裏面側に配置された導光板２６０を通して視認することができる。
【００８３】
また、本実施形態の表示装置２００では、装置の略中央部に設けられた空洞部２０９に、例えば、表示装置２００による４つの図柄Ｘの変動及び停止表示後に遊技の最終確定結果（図柄等）を表示する７セグメント表示器等の他の表示装置を設けることも可能である。このように、遊技の最終確定結果を表示する他の表示装置を組み合わせた場合には、表示装置２００により停止表示された各図柄Ｘの表示結果が、有効ライン上で、予め定められたリーチ図柄等の特定の表示結果となり（例えば、４つの図柄Ｘのうちの２つが有効ライン上で同じ図柄（例えば、「７、７」）となって揃ったときなど）、その後に、他の表示装置により表示された表示結果が予め定められた特定の表示結果となったとき（例えば、有効ライン上で揃っている２つの図柄と同じ図柄が表示され、３つの図柄が全て同じ図柄（例えば、「７、７、７」）となって揃ったときなど）に、パチンコ機１０により大当り遊技等の特定の遊技状態を発生して遊技者に所定の遊技価値を付与することもできる。
【００８４】
また、前表示機２２０Ａ及び後表示機２２０Ｂの各表示体２５０に設けられた図柄Ｘを照明する際には、各表示機の裏面側に設けられた導光板２６０の外周面２６０Ｃへ向けて、軸線Ｈ２と略直交する方向から投光器２９０Ａ、２９０Ｂにより光が照射される。導光板２６０の外周面２６０Ｃへ入射された光は、導光板２６０の内部を導かれ、表示体２５０と対応する部位に設けられたダイヤモンドカット部２６４から表示体２５０側へ出射される。そしてこの光は、光透過性材料により形成された表示体２５０を裏面２５０Ｂから表面２５０Ａへ通過し、この光によって表示体２５０に設けられた図柄Ｘが照明される。また、投光器２９０Ａ、２９０Ｂには、ＲＧＢの各色のＬＥＤが設けられているため、これら各色のＬＥＤの発光制御を行うことにより、各図柄Ｘを照明する照明光の色彩に変化を与え、照明光の色彩による多彩な演出を生み出すこともできる。
【００８５】
次に、本実施形態の表示装置２００による図柄の変動及び停止表示、有効ラインの設定方法について図１４〜図１９を用いて説明する。
【００８６】
図１４には、表示装置２００の図柄表示領域Ｚにおける図柄Ｘ（表示体２５０）の停止位置が模式的に示されており、ここでは、時計の指標と同様に、図柄Ｘの回転移動軌跡上に３０度間隔で割り当てた図中の「１〜１２」で示される１２箇所に設定されている。なお、本実施形態の表示装置２００では、センター飾り３６０が存在しない場合には全ての停止位置（１２箇所）で図柄Ｘが表示可能となり、ここでは、この図柄Ｘが表示可能な領域を「図柄表示領域Ｚ」と呼ぶ。
【００８７】
図柄Xについては、停止表示されたときの向きによって異なる意味を持つ複数種類の情報が表示可能なもの採用しており、ここでは、図１５に示されるように、図１５（Ａ）の向きでは「Ｗ」となり、図１５（Ａ）とは逆さまの図１５（Ｂ）の向きでは「Ｍ」となる図柄Ｘ１と、図１５（Ａ）の向きでは「ｐ」となり、同じく図１５（Ｂ）の向きでは「ｄ」となる図柄Ｘ２とが、表示機２２０の２つの表示体２５０にそれぞれ設けられている。なお、ここでは、図柄Ｘ１、Ｘ２が図１５（Ａ）の向きで表示される場合を「正表示」、図１５（Ｂ）の向きで表示される場合を「逆表示」と呼ぶ。
【００８８】
また、表示体２５０は、表示機２２０が３０度正転すると自転のみで１５０度正転（自転＋公転で１８０度正転）し、表示機２２０が１回転（３６０度正転）すると自転のみで５回転（自転＋公転で６回転）するよう設定されている。この場合、表示体２５０のギア部２５２と固定ギア２７０Ａ、２７０Ｂのギア部２７２Ａ、２７２Ｂのギア比は１：５に設定すればよく、例えば、表示体２５０のギア部２５２の歯数を４０とすれば、固定ギア２７０Ａ、２７０Ｂのギア部２７２Ａ、２７２Ｂの歯数を２００とすることにより、上記のギア比を満足することができる。なお、本実施形態の表示装置２００では、表示体２５０と固定ギア２７０Ａ、２７０Ｂの間に表示体回転駆動ギア２４０を設けることで、表示機２２０と表示体２５０とを同方向に回転させる（例えば、表示機２２０が正転するときは表示体２５０も正転させる）よう構成しているが、この表示体回転駆動ギア２４０の歯数は上記のギア比に影響しないため、任意に設定することができる。
【００８９】
以上の設定において、まず、図１６（Ａ）に示されるように、図柄Ｘ１が図柄表示領域Ｚの１０時の位置で正表示（「Ｗ」）され、図柄Ｘ２が図柄表示領域Ｚの２時の位置で正表示（「ｐ」）される場合を表示機２２０の初期状態とする。
【００９０】
この初期状態から表示機２２０が３０度正転すると、各表示体２５０が軸線Ｈ２を中心として右回りに３０度回転移動（公転）しつつ軸線Ｈ１を中心として１５０度正転（自転）し、図１６（Ｂ）に示されるように、図柄Ｘ１は１１時の位置に移動し、図柄Ｘ２は３時の位置に移動して、それぞれ逆表示される。さらに、その位置から表示機２２０が３０度正転すると、図１６（Ｃ）に示されるように、図柄Ｘ１は１２時の位置に移動し、図柄Ｘ２は４時の位置に移動して、それぞれ正表示に戻る。以後同様に、表示機２２０が３０度ずつ正転する度に、図柄Ｘ１、Ｘ２は右回りに３０度ずつ回転移動しながら逆表示及び正表示を繰り返し、表示機２２０が１回転すると図１６（Ａ）に示される初期状態に戻る。
【００９１】
このように、この表示機２２０では、図柄Ｘ１、Ｘ２は、図柄表示領域Ｚの偶数位置で停止したときに正表示され、奇数位置で停止したときに逆表示される。
【００９２】
また、上記例の表示機２２０と同様の構成で、図１６（Ｄ）に示されるように、図柄Ｘ１が図柄表示領域Ｚの４時の位置で正表示（「Ｗ」）され、図柄Ｘ２が図柄表示領域Ｚの８時の位置で正表示（「ｐ」）される場合を初期状態とした表示機２２０の場合も、図柄Ｘ１、Ｘ２は、図柄表示領域Ｚの偶数位置で停止したときに正表示され、奇数位置で停止したときに逆表示される。
【００９３】
そして、この２種類の表示機２２０を上述した前表示機２２０Ａ及び後表示機２２０Ｂに割り当てると、例えば、図１６（Ａ）を前表示機２２０Ａとし、図１６（Ｄ）を後表示機２２０Ｂとすると、各図柄X１、X２の組み合わせ確定位置となる有効ラインには、前表示機２２０Ａ及び後表示機２２０Ｂの各図柄Ｘ１、Ｘ２が図柄表示領域Ｚの偶数位置で停止した状態、又は、各図柄Ｘ１、Ｘ２が奇数位置で停止した状態の表示結果を用いることができる。
【００９４】
なお、上記の設定では、前表示機２２０Ａの図柄Ｘ１、Ｘ２と後表示機２２０Ｂの図柄Ｘ１、Ｘ２とが停止位置で重ならず、全て（４つ）の図柄Ｘ１、Ｘ２が表示される場合には、図柄Ｘ１同士と図柄Ｘ２同士とがそれぞれ揃ったダブルの大当り表示、又は、図柄Ｘ１同士によるリーチと図柄Ｘ２同士によるリーチとがダブルで揃ったダブルリーチ表示となり、同じ種類の図柄同士が停止位置で重なった場合には、図柄Ｘ１同士及び図柄Ｘ２同士の何れかが揃った大当り表示、又は、図柄Ｘ１同士によるリーチ及び図柄Ｘ２同士によるリーチの何れかによるシングルリーチ表示となる。例えば、前表示機２２０Ａ及び後表示機２２０Ｂの図柄Ｘ１（「Ｗ／Ｍ」）同士が重なると、重ならずに表示される２つの図柄Ｘ２（「ｐ／ｄ」）により大当り表示又はシングルリーチ表示となる。また、異なる種類の図柄同士が重なった場合には大当りやリーチは発生せず、例えば、前表示機２２０Ａの図柄Ｘ１（「Ｗ／Ｍ」）と後表示機２２０Ｂの図柄Ｘ２（「ｐ／ｄ」）とが停止位置で重なると大当りやリーチにはならない。
【００９５】
図１７には、大当り又はリーチの発生率を変更する方法の一例が示されている。
【００９６】
図１７（Ａ）は、図１６（Ａ）、（Ｄ）に示した２種類の表示機２２０を前表示機２２０Ａ及び後表示機２２０Ｂに用いた場合に、前表示機２２０Ａの図柄Ｘ１又は図柄Ｘ２と、後表示機２２０Ｂの図柄Ｘ１又は図柄Ｘ２とが、図柄表示領域Ｚに１２箇所設定された停止位置のうちの軸線Ｈ２を中心とする対象位置で停止された組み合わせのみを有効ラインとして採用した例である。この有効ラインを直線状とした例では、有効ラインが６本（Ｌ１〜Ｌ６）に設定され大当り又はリーチの発生率が低くされる。
【００９７】
図１７（Ｂ）は、図１６（Ａ）に示した表示機２２０において、ステッピングモーターの回転ステップを１／２にし、表示機２２０を１５度の回転角度毎に停止させるようにして、図柄Ｘ１、Ｘ２の停止位置を２倍の２４箇所に設定した例である。この場合は、停止表示される図柄Ｘ１、Ｘ２の向きは４通りになり、このようにすることで、大当り又はリーチの発生率を変更することもできる。
【００９８】
図１７（Ｃ）は、図１７（Ａ）に示した直線状の有効ラインに、前述したセンター飾り３６０を組み合わせた例である。この例では、図柄表示領域Ｚにおける２〜４の停止位置がセンター飾り３６０の楕円孔３６４Ｒから視認でき、また、図柄表示領域Ｚにおける８〜１０の停止位置がセンター飾り３６０の楕円孔３６４Ｌから視認できる。したがって、楕円孔３６４Ｌ、３６４Ｒを通して視認することができるできる計６箇所の停止位置の組み合わせにより直線状の３本の有効ライン（Ｌ３〜Ｌ５）が設定され、大当り又はリーチの発生率が図１７（Ａ）の場合の１／２にされる。
【００９９】
図１８には、図柄Ｘ１、Ｘ２の変動表示を変更する例が示されている。
【０１００】
図１８（Ａ）は、上述した前表示機２２０Ａ及び後表示機２２０Ｂのように、表示体２５０を表示機２２０の回転方向を同じ方向へ回転させて図柄Ｘ１、Ｘ２を変動表示する例であり、図１８（Ｂ）は、表示体２５０を表示機２２０の回転方向とは逆方向へ回転させて図柄Ｘ１、Ｘ２を変動表示する例である。図柄Ｘ１、Ｘ２をこのように変動表示させるには、例えば、表示体回転駆動ギア２５４を設けず表示体回転ギア２４０を固定ギア３４６に直接噛み合わせるよう構成する、あるいは、表示体回転駆動ギアを２枚にするなどにより容易に実現することができる。
【０１０１】
図１９（Ａ）には、図柄Ｘ１（「Ｗ／Ｍ」）及び図柄Ｘ２（「ｐ／ｄ」）の他に、停止表示されたときの向きによって異なる意味を持つ複数種類の情報が表示可能な図柄の例が示されている。このような図柄には、図示のような「７／Ｌ」、「６／９」、「Λ／Ｖ」等を用いることができる。
【０１０２】
また、上述した図柄Ｘ１については、図柄をデフォルメすることにより、図１９（Ｂ）に示されるように、「Ｗ」、「Ｅ」、「Ｍ」、「３」の４種類の情報を表示することも可能である。
【０１０３】
次に、以上説明した本実施形態に係る表示装置２００の作用について説明する。
【０１０４】
本実施形態の表示装置２００では、４つの図柄Ｘが変動表示される際は、上述したように、各表示体２５０の自転と、前表示機２２０Ａ及び後表示機２２０Ｂの回転に伴う各表示体２５０の公転との組み合わせによって向きを変化させるため、例えば、図柄の向きが回転表示機の回転のみで変化する構成等に比べて動きが複雑となる。また、４つの図柄Ｘの組み合わせ確定位置（有効ライン）を設定する上では自由度が高まって、４つの図柄Ｘを軸線Ｈ２回りの回転軌跡（公転軌跡）上におけるより広い範囲で停止させ有効ラインを形成することができるようになり、図柄表示領域Ｚを有効に使用することができる。そして、パチンコ機１０の正面に位置して遊技を行う遊技者は、表示装置２００によって４つの図柄Ｘがそれぞれ公転しつつ自転して複雑に変動表示される様子と、変動表示後の停止表示で形成される有効ラインとを、図柄表示領域Ｚの広い範囲で注目するようになり、これにより、複数の表示機２２０（前表示機２２０Ａ及び後表示機２２０Ｂ）による表示態様の趣向性や斬新性を向上させることができる。
【０１０５】
また、前表示機２２０Ａ及び後表示機２２０Ｂの各表示体２５０に設けられた図柄Ｘを照明する際は、上述したように、投光器２９０Ａ、２９０Ｂから各表示機の裏面側に設けられた導光板２６０の外周面２６０Ｃへ向けて光を照射することにより、図柄Ｘが照明されるため、各表示機の回転に伴う表示体２５０及び図柄Ｘの回転移動中であっても、投光器２９０Ａ、２９０Ｂから導光板２６０の外周面２６０Ｃへ向けて光を照射することで図柄Ｘの照明が可能となり、簡単な構成によって回転移動中の図柄Ｘを常時照明できるようになる。
【０１０６】
また、本実施形態では、導光板２６０の周囲に略９０度間隔で４個の投光器２９０Ａ、２９０Ｂを配置していることにより、例えば、投光器が１個、又は２個が対向して配置されるような場合に比べ、図柄Ｘの回転移動中や停止位置にかかわらず、図柄Ｘを位置変化によって生じる光量差が抑えられた明るい光により照明することができる。
【０１０７】
また、遊技盤１００の裏面１００Ｂに表示装置２００を設けた本実施形態では、前表示機２２０Ａ及び後表示機２２０Ｂは軸線Ｈ２を中心軸線としたリング状としていることにより、各表示機を中心軸線方向に薄く形成することができており、さらに、中心軸線が遊技盤１００の盤面１００Ａに対して略直交する向きとなるよう各表示機を配置していることにより、遊技盤１００の裏面１００Ｂ側に設ける各表示機の後側へ突出が抑えられて設置スペースを小さくすることができている。これにより、表示機を複数搭載する構成でも表示装置２００を小型化することができており、遊技盤１００の裏面１００Ｂ側に設ける制御基板や各種部品の大きさ、レイアウト等に与える影響を小さくすことができる。
【０１０８】
また、本実施形態では、１つの表示機２２０に表示体２５０を２つ設けていることにより、２つの表示機２２０でも計４つの表示体２５０（図柄Ｘ）が設けられ、これにより、表示装置２００を小型に構成しながらも、４つの図柄Ｘを用いて多数種類の有効ラインを形成することができ、有効ラインのパターンを多彩化できている。
【０１０９】
また、本実施形態では、１つの図柄Ｘ（図柄Ｘ１、Ｘ２）により、その図柄Ｘを停止表示させるときの向きを変えることで異なる意味を持つ複数種類の情報を表示できるため、少数の図柄Ｘでも異なる種類の結果をより多く表示できるようになる。これにより、図柄Ｘの表示結果及び有効ラインのパターンを更に多彩化することができる。
【０１１０】
また、本実施形態では、リング状とされた前表示機２２０Ａ及び後表示機２２０Ｂの軸心部と対応する表示装置２００（ケーシング２０２）の略中央部に、軸線Ｈ２に沿って開口された空洞部２０９を設けていることにより、その空洞部２０９に、例えば、表示装置２００による４つの図柄Ｘの変動及び停止表示後に遊技の最終確定結果を表示する他の表示装置、例えば、７セグメント表示器や液晶表示器等の電気的表示装置、あるいは、ドラムや球体等の回転表示機を用いた機械的表示装置等を設けることが可能となる。これにより、表示装置２００の４つの図柄Ｘによって表示される表示結果（有効ライン）と、表示装置２００の略中央部に配置される他の表示装置によって表示される表示結果とを組み合わせた、より多彩で趣向性及び斬新性に富んだ表示を行うことができる。
【０１１１】
以上、本発明を上述した特定の実施形態により詳細に説明したが、本発明はそれに限定されるものではなく、本発明の範囲内にて他の種々の実施形態が可能である。
【０１１２】
例えば、上述した実施形態では、表示機２２０を２つとし、各表示機２２０には表示体２５０を２つずつ設けた構成としたが、表示機２２０及び表示体２５０の数はこれらに限定されず、表示機２２０を３つ以上とする、あるいは、各表示機２２０に表示体２５０を１つ又は３つ以上設けて図柄Ｘの数を増減することも可能である。また、上述した実施形態のように、図柄Ｘを計４つとする場合では、表示体２５０を１つづ設けた表示機２２０を４つ搭載し、各図柄Ｘを個別に変動表示させるようなこともできる。
【０１１３】
また、上述した実施形態では、センター飾り３６０を設けて表示装置２００の図柄表示領域Ｚにおける視認可能範囲を縮小することにより、有効ラインの数を減らして大当り又はリーチの発生率を抑えるようにしているが、センター飾り３６０に形成する楕円孔３６４Ｌ、３６４Ｒの形状を大きくする、あるいは、センター飾り３６０を取り除く等により、有効ラインの数を増やして大当り又はリーチの発生率をアップさせることも可能である。また、このセンター飾り３６０の場合、例えば半透明等として、楕円孔３６４Ｌ、３６４Ｒ以外の領域でも図柄Xが変動表示される様子を少し視認できるようにしてもよく、その場合には、楕円孔３６４Ｌ、３６４Ｒのみを視認可能とする場合とは異なる演出効果を生み出すことができる。
【０１１４】
また、上述した実施形態では、前表示機２２０Ａ及び後表示機２２０Ｂの各導光板２６０に対し、投光器２９０Ａ、２９０Ｂを４つずつ設けた構成としたが、投光器２９０Ａ、２９０Ｂの数はこれらに限定されず、例えば、図柄Ｘの停止箇所数に応じて投光器２９０Ａ、２９０Ｂの数を増減するようにしてもよい。また、ケーシング２０２の内壁面にメッキ処理等を施することにより、ケーシング２０２内に漏れた光を反射させるようにしてもよい。
【０１１５】
また本発明は、上述した実施形態のように、リング状の回転表示機を複数搭載した構成や、図柄を設けた回転体をリング状の複数の回転表示機に搭載した構成の表示装置に限らず、他にも、円盤状の回転表示機を１つ又は複数搭載したルーレット式の表示装置等にも適用できる。
【図面の簡単な説明】
【０１１６】
【図１】本発明の一実施形態に係るパチンコ機を示す正面図である。
【図２】図１のパチンコ機における内枠、ガラス枠、及び遊技盤を示す正面側から見た斜視図である。
【図３】本発明の一実施形態に係る遊技盤と、表示装置及びセンター飾りを示す分解斜視図である。
【図４】本発明の一実施形態に係る表示装置を示す分解斜視図である。
【図５】本発明の一実施形態に係る表示機及び導光板を示す分解斜視図である。
【図６】本発明の一実施形態に係る表示装置の組立状態を示す正面図である。
【図７】図６の７−７線断面図である。
【図８】図６の８−８線断面図である。
【図９】図６の９−９線端面図である。
【図１０】図６の１０−１０線端面図である。
【図１１】図６の１１−１１線端面図である。
【図１２】本発明の一実施形態に係る導光板のダイヤモンドカット部を示す拡大斜視図である。
【図１３】本発明の一実施形態に係る導光板により導光板内を導かれた光が外部へ出射される様子を示す説明図である。
【図１４】本発明の一実施形態に係る表示装置の図柄表示領域における図柄の停止位置を模式的に示す説明図である。
【図１５】（Ａ）、（Ｂ）は本発明の一実施形態に係る表示体に設けられた図柄を示す正面図である。
【図１６】（Ａ）〜（Ｄ）は本発明の一実施形態に係る図柄が変動表示される様子を示す動作説明図である。
【図１７】（Ａ）〜（Ｃ）は本発明の一実施形態に係る表示装置において大当り又はリーチの発生率を変更する方法を示す説明図である。
【図１８】（Ａ）、（Ｂ）は本発明の一実施形態に係る図柄の２種類の変動表示方法を示す説明図である。
【図１９】（Ａ）、（Ｂ）は本発明の一実施形態に係る表示体に設けることができる図柄を示す説明図である。
【符号の説明】
【０１１７】
１０          パチンコ機（遊技機）
１００        遊技盤
１００Ａ      盤面
１００Ｂ      裏面
１０１        遊技領域
２００        表示装置
２０２        ケーシング
２０８        内筒部（支持手段）
２０９        空洞部
２２０        表示機（回転表示機）
２２０Ａ      前表示機（回転表示機）
２２０Ｂ      後表示機（回転表示機）
２４０        表示体回転駆動ギア（連動手段）
２５０        表示体（回転体）
２６０        導光板（導光手段）
２６０Ｃ      外周面（光入射部）
２６４        ダイヤモンドカット部（光出射部）
２７０        固定ギア（連動手段）
２８０Ａ      ステッピングモーター（駆動手段）
２８０Ｂ      ステッピングモーター（駆動手段）
２９０Ａ      投光器（光照射手段）
２９０Ｂ      投光器（光照射手段）
Ｈ１          軸線（第１回転軸線）
Ｈ２          軸線（第２回転軸線／中心軸線）
Ｘ            図柄（識別情報）
Ｘ１          図柄（識別情報）
Ｘ２          図柄（識別情報）
【図１】
2006006807.tif 000003
【図２】
2006006807.tif 000004
【図３】
2006006807.tif 000005
【図４】
2006006807.tif 000006
【図５】
2006006807.tif 000007
【図６】
2006006807.tif 000008
【図７】
2006006807.tif 000009
【図８】
2006006807.tif 000010
【図９】
2006006807.tif 000011
【図１０】
2006006807.tif 000012
【図１１】
2006006807.tif 000013
【図１２】
2006006807.tif 000014
【図１３】
2006006807.tif 000015
【図１４】
2006006807.tif 000016
【図１５】
2006006807.tif 000017
【図１６】
2006006807.tif 000018
【図１７】
2006006807.tif 000019
【図１８】
2006006807.tif 000020
【図１９】
2006006807.tif 000021